(57)【要約】【課題】  極板を正しい姿勢で前段の単位搬送装置から後段の単位搬送装置に渡すことができる鉛蓄電池用極板搬送装置を得る。【解決手段】  極板１を水平に載置して搬送する前段の単位搬送装置２と、この前段の単位搬送装置２の終端に隣接して配置して極板１を水平に載置して搬送する後段の単位搬送装置３との間に、極板１を上下から挟んで送るピンチローラ４を配置する。ピンチローラ４の回転速度を、前段の単位搬送装置２の送り速度より大きく設定する。【選択図】    図１
2005276555.tif 000002
【特許請求の範囲】
【請求項１】
極板を水平に載置して搬送する前段の単位搬送装置と、該前段の単位搬送装置の終端に隣接して配置されて前記極板を水平に載置して搬送する後段の単位搬送装置を備えた鉛蓄電池用極板搬送装置であって、
前記前段の単位搬送装置と前記後段の単位搬送装置との間に、前記極板を上下から挟んで送るピンチローラが配置され、該ピンチローラの回転速度は前記前段の単位搬送装置の送り速度より大きく設定されていることを特徴とする鉛蓄電池用極板搬送装置。
【請求項２】
極板を水平に載置して搬送する前段の単位搬送装置と、該前段の単位搬送装置の終端に隣接して交差する向きで配置されて前記極板を水平に載置して搬送する後段の単位搬送装置とを備えた鉛蓄電池用極板搬送装置において、
前記前段の単位搬送装置と前記後段の単位搬送装置との間に、前記極板を上下から挟んで送るピンチローラが配置され、該ピンチローラの回転速度は前記前段の単位搬送装置の送り速度より大きく設定されていることを特徴とする鉛蓄電池用極板搬送装置。
【請求項３】
前記ピンチローラは、少なくとも外周側が所定の摩擦係数を有する弾性材で構成されており、該弾性材の周面には所定深さの溝が設けられていることを特徴とする請求項１または２に記載の鉛蓄電池用極板搬送装置。
【発明の詳細な説明】
【技術分野】
【０００１】
本発明は、鉛蓄電池用極板搬送装置に関するものである。
【背景技術】
【０００２】
鉛蓄電池用の極板を集積させ極板群を作製する工程においては、該極板の搬送は１枚ずつ水平に、搬送方向に対して直交する向きで載置されてチエンコンベアやローラコンベア等の搬送装置により搬送している。この場合、前段の単位搬送装置と後段の単位搬送装置との間の極板の移載は、双方の単位搬送装置間の距離を最少限として行っていた（例えば、非特許文献１参照。）。
【非特許文献１】「電池便覧」丸善株式会社、平成２年８月２０日、ｐ．１９６、図３・３・４２
【発明の開示】
【発明が解決しようとする課題】
【０００３】
しかしながら、このような複数段構成の鉛蓄電池用極板搬送装置では、前段と後段の単位搬送装置が一直線上に配置されている場合は前述の構成でよいが、前段の単位搬送装置の終端に隣接して直交のように交差する向きで後段の単位搬送装置配置されている場合には、極板の達続した乗り移りが困難なため該極板が後段の単位搬送装置配置上にその搬送方向に対して傾斜して載置され、後工程での処理に不都合となる問題点があった。
【０００４】
本発明の目的は、極板を正しい姿勢で前段の単位搬送装置から後段の単位搬送装置に渡すことができる鉛蓄電池用極板搬送装置を提供することにある。
【０００５】
本発明の他の目的は、ピンチローラの摩耗が一目でわかる鉛蓄電池用極板搬送装置を提供することにある。
【課題を解決するための手段】
【０００６】
本発明は、極板を水平に載置して搬送する前段の単位搬送装置と、該前段の単位搬送装置の終端に隣接して配置されて前記極板を水平に載置して搬送する後段の単位搬送装置を備えた鉛蓄電池用極板搬送装置と、極板を水平に載置して搬送する前段の単位搬送装置と、該前段の単位搬送装置の終端に隣接して交差する向きで配置されて前記極板を水平に載置して搬送する後段の単位搬送装置とを備えた鉛蓄電池用極板搬送装置とを対象とする。
【０００７】
本発明に係る鉛蓄電池用極板搬送装置では、前記前段の単位搬送装置と前記後段の単位搬送装置との間に、前記極板を上下から挟んで送るピンチローラが配置され、該ピンチローラの回転速度は前記前段の単位搬送装置の送り速度より大きく設定されていることを特徴とする。
【０００８】
この場合、前記ピンチローラは、少なくとも外周側が所定の摩擦係数を有する弾性材で構成されており、該弾性材の周面には所定深さの溝が設けられていることが好ましい。
【発明の効果】
【０００９】
本発明の鉛蓄電池用極板搬送装置では、前段の単位搬送装置と後段の単位搬送装置との間に、極板を上下から挟んで送るピンチローラを配置し、該ピンチローラの回転速度を前段の単位搬送装置の送り速度より大きく設定したので、該ピンチローラで極板を前段の単位搬送装置から後段の単位搬送装置に速やかに渡すことができる。このため後段の単位搬送装置が前段の単位搬送装置の終端に一直線上に配置されていいても、あるいは交差する向きで配置されていても、極板が搬送方向に対して傾斜した向きで載るのを防止することができ、極板を正しい姿勢で前段の単位搬送装置から後段の単位搬送装置に渡すことができる。
【００１０】
また、ピンチローラが少なくとも外周側が所定の摩擦係数を有する弾性材で構成され、該弾性材の周面に所定深さの溝が設けられていると、ピンチローラの摩耗状況が目視により直ちにわかり、ピンチローラの交換を時期を逃さずに行うことができる。
【発明を実施するための最良の形態】
【００１１】
以下、本発明に係る鉛蓄電池用極板搬送装置を実施するための最良の形態の一例を図１及び図２を参照して詳細に説明する。ここで、図１（Ａ）（Ｂ）は本例の鉛蓄電池用極板搬送装置の平面図及び側面図、図２（Ａ）（Ｂ）は本例の鉛蓄電池用極板搬送装置の平面図及び側面図である。
【００１２】
本例の鉛蓄電池用極板搬送装置では、図１（Ａ）（Ｂ）に示すよう、極板１を水平に載置して搬送するチェーンコンベアよりなる前段の単位搬送装置２の終端に隣接して、極板１を水平に載置して搬送するチェーンコンベアよりなる後段の単位搬送装置３が、該前段の単位搬送装置２の搬送方向に対して直交した交差する向きで配置されている。
【００１３】
これら前段の単位搬送装置２と後段の単位搬送装置３との間には、極板１を上下から挟んで送るピンチローラ４が、左右の位置で上下に配置されている。ピンチローラ４は、上下とも左右１対となっていて、上側は上側同士で軸５で支持され、下側は下側同士で軸５で支持されている。上側の軸５は上下方向に移動が可能になっていて、下向きに付勢されている。このため上側のピンチローラ４は、下側のピンチローラ４に接近する方向に付勢されている。
【００１４】
各ピンチローラ４は、図２（Ａ）（Ｂ）に示すように、所定の摩擦係数を有するゴム等の弾性材で構成されていて、該弾性材の周面に所定深さｄの溝６が設けられている。
【００１５】
このようなピンチローラ４の回転速度は、前段の単位搬送装置２の送り速度より大きく設定されている。
【００１６】
本例の鉛蓄電池用極板搬送装置のように、前段の単位搬送装置２と後段の単位搬送装置３との間に、極板１を上下から挟んで送るピンチローラ４を配置し、該ピンチローラ４の回転速度を前段の単位搬送装置２の送り速度より大きく設定しているので、極板１を前段の単位搬送装置２から後段の単位搬送装置３に速やかに渡すことができる。このため後段の単位搬送装置３が前段の単位搬送装置２の搬送方向に対して交差する向きで配置されていても、極板１が搬送方向に対して傾斜した向きで後段の単位搬送装置３に載るのを防止することができ、極板１を正しい姿勢で前段の単位搬送装置２から後段の単位搬送装置３に渡すことができる。
【００１７】
また、ピンチローラ４が所定の摩擦係数を有する弾性材で構成され、該弾性材の周面に所定深さｄの溝６が設けられているので、ピンチローラ４の摩耗状況が目視により直ちにわかり、ピンチローラ４の交換を時期を逃さずに行うことができる。
【００１８】
上記例では、ピンチローラ４の全体が弾性材で構成されている例について示したが、弾性材はピンチローラ４の少なくとも外周側だけでもよい。即ち、中心が金属で形成され、外周側が弾性材で構成されているピンチローラ４にも同様に適用することができる。
【００１９】
また、上記例は後段の単位搬送装置３が前段の単位搬送装置２の搬送方向に対して交差する向きで配置されている例について示したが、本発明はこれに限定されるものではなく、後段の単位搬送装置３が前段の単位搬送装置２の搬送方向に対して直線状に配置されている例にも同様に適用することができる。
【図面の簡単な説明】
【００２０】
【図１】本発明に係る鉛蓄電池用極板搬送装置の一例を示す構成図である。
【図２】図１で用いているピンチローラの構成図である。
【符号の説明】
【００２１】
１  極板
２  前段の単位搬送装置
３  後段の単位搬送装置
４  ピンチローラ
５  軸
６  溝
【図１】
2005276555.tif 000003
【図２】
2005276555.tif 000004